(57)【特許請求の範囲】
【請求項１】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記予約手段により前記予約位置が設定されている状態において、前記端末装置と前記表示面とが近接していないとき、前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備える、電子会議支援装置。
【請求項２】
前記表示制御手段は、前記表示を行う位置に他の画像が表示されているとき、ユーザから受け付けた、所定の複数の表示モードのいずれかを指定する指示に応じた表示モードで前記表示を行う、請求項１に記載の電子会議支援装置。
【請求項３】
前記表示制御手段は、前記表示を行う位置に他の画像が表示されているとき、所定の複数の表示モードのうち前記他の画像の属性に応じた表示モードで、前記表示を行う、請求項１又は２に記載の電子会議支援装置。
【請求項４】
前記他の画像の属性には、少なくとも、その画像が前記端末装置に対応するものであるか他の端末装置に対応するものであるかを示すものが含まれる、請求項３に記載の電子会議支援装置。
【請求項５】
前記所定の複数の表示モードには、少なくとも、前記他の画像に対して上書き表示を行うモードと、前記他の画像に対して透過表示を行うモードとが含まれる、請求項２から４のいずれかに記載の電子会議支援装置。
【請求項６】
前記表示装置が複数の表示面を切替えて表示可能である場合において、
前記予約手段は、前記複数の表示面のうち特定の表示面について、前記予約位置の設定を行う、請求項１から５のいずれかに記載の電子会議支援装置。
【請求項７】
前記表示装置が複数の表示面を切替えて表示可能である場合において、
前記予約手段は、前記複数の表示面のそれぞれに共通して前記予約位置の設定を行い、
前記表示制御手段は、前記受付手段により前記表示指示が受け付けられたとき、前記複数の表示面のそれぞれの予約位置に共通して前記表示を行う、請求項１から６のいずれかに記載の電子会議支援装置。
【請求項８】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置が行った表示指示の受け付けを行う受付手段と、
前記受付手段により前記表示指示が受け付けられたとき、前記端末装置から送られた情報に基づいて、前記予約手段により設定された予約位置に表示を行う表示制御手段とを備え、
前記表示制御手段は、前記表示を行う位置に他の画像が表示されているとき、ユーザから受け付けた、所定の複数の表示モードのいずれかを指定する指示に応じた表示モードで前記表示を行う、電子会議支援装置。
【請求項９】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記表示制御手段は、前記表示を行う位置に他の画像が表示されているとき、ユーザから受け付けた、所定の複数の表示モードのいずれかを指定する指示に応じた表示モードで前記表示を行う、電子会議支援装置。
【請求項１０】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置が行った表示指示の受け付けを行う受付手段と、
前記受付手段により前記表示指示が受け付けられたとき、前記端末装置から送られた情報に基づいて、前記予約手段により設定された予約位置に表示を行う表示制御手段とを備え、
前記表示制御手段は、前記表示を行う位置に他の画像が表示されているとき、所定の複数の表示モードのうち前記他の画像の属性に応じた表示モードで、前記表示を行う、電子会議支援装置。
【請求項１１】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記表示制御手段は、前記表示を行う位置に他の画像が表示されているとき、所定の複数の表示モードのうち前記他の画像の属性に応じた表示モードで、前記表示を行う、電子会議支援装置。
【請求項１２】
前記他の画像の属性には、少なくとも、その画像が前記端末装置に対応するものであるか他の端末装置に対応するものであるかを示すものが含まれる、請求項１０又は１１に記載の電子会議支援装置。
【請求項１３】
前記所定の複数の表示モードには、少なくとも、前記他の画像に対して上書き表示を行うモードと、前記他の画像に対して透過表示を行うモードとが含まれる、請求項８から１２のいずれかに記載の電子会議支援装置。
【請求項１４】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置が行った表示指示の受け付けを行う受付手段と、
前記受付手段により前記表示指示が受け付けられたとき、前記端末装置から送られた情報に基づいて、前記予約手段により設定された予約位置に表示を行う表示制御手段とを備え、
前記表示装置が複数の表示面を切替えて表示可能である場合において、
前記予約手段は、前記複数の表示面のうち特定の表示面について、前記予約位置の設定を行う、電子会議支援装置。
【請求項１５】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置が行った表示指示の受け付けを行う受付手段と、
前記受付手段により前記表示指示が受け付けられたとき、前記端末装置から送られた情報に基づいて、前記予約手段により設定された予約位置に表示を行う表示制御手段とを備え、
前記表示装置が複数の表示面を切替えて表示可能である場合において、
前記予約手段は、前記複数の表示面のそれぞれに共通して前記予約位置の設定を行い、
前記表示制御手段は、前記受付手段により前記表示指示が受け付けられたとき、前記複数の表示面のそれぞれの予約位置に共通して前記表示を行う、電子会議支援装置。
【請求項１６】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記表示装置が複数の表示面を切替えて表示可能である場合において、
前記予約手段は、前記複数の表示面のうち特定の表示面について、前記予約位置の設定を行う、電子会議支援装置。
【請求項１７】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記表示装置が複数の表示面を切替えて表示可能である場合において、
前記予約手段は、前記複数の表示面のそれぞれに共通して前記予約位置の設定を行い、
前記表示制御手段は、前記受付手段により前記表示指示が受け付けられたとき、前記複数の表示面のそれぞれの予約位置に共通して前記表示を行う、電子会議支援装置。
【請求項１８】
前記予約手段は、前記第１の取得手段により取得された第１の情報と前記第２の取得手段により取得された第２の情報とを対応付けた情報を記憶することで、前記予約位置の設定を行い、
前記表示制御手段は、前記受付手段により前記表示指示が受け付けられたとき、前記表示指示と、前記予約手段により記憶された情報とに基づいて、前記表示面上の前記端末装置に対応する位置を特定し、その特定した位置に前記端末装置から送られた情報に基づいて表示を行う、請求項１から１７のいずれかに記載の電子会議支援装置。
【請求項１９】
前記検出手段により前記近接していることが検出されたとき、前記端末装置から送信されたサイズ指定情報を取得する第３の取得手段をさらに備え、
前記表示制御手段は、前記第３の取得手段により取得された前記サイズ指定情報に応じた大きさで前記表示を行う、請求項１から１８のいずれかに記載の電子会議支援装置。
【請求項２０】
前記表示制御手段は、前記表示を行う位置に他の画像が表示されているか否かを検知し、その検知結果に応じて、前記表示を行う、請求項１から１９のいずれかに記載の電子会議支援装置。
【請求項２１】
前記予約手段により設定された前記表示面上の予約位置を前記表示面上にマーキング表示する予約表示手段をさらに備える、請求項１から２０のいずれかに記載の電子会議支援装置。
【請求項２２】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段と、
前記予約手段により設定された前記表示面上の予約位置を前記表示面上にマーキング表示する予約表示手段とを備える、電子会議支援装置。
【請求項２３】
前記マーキング表示には、その予約位置に対応する前記端末装置の名及び前記端末装置に対応するユーザの名のうち少なくとも一方が含まれる、請求項２１又は２２に記載の電子会議支援装置。
【請求項２４】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記予約手段は、前記第１の取得手段により取得された第１の情報と前記第２の取得手段により取得された第２の情報とを対応付けた情報を記憶することで、前記予約位置の設定を行い、
前記表示制御手段は、前記受付手段により前記表示指示が受け付けられたとき、前記表示指示と、前記予約手段により記憶された情報とに基づいて、前記表示面上の前記端末装置に対応する位置を特定し、その特定した位置に前記端末装置から送られた情報に基づいて表示を行う、電子会議支援装置。
【請求項２５】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段と、
前記検出手段により前記近接していることが検出されたとき、前記端末装置から送信されたサイズ指定情報を取得する第３の取得手段とを備え、
前記表示制御手段は、前記第３の取得手段により取得された前記サイズ指定情報に応じた大きさで前記表示を行う、電子会議支援装置。
【請求項２６】
表示装置の表示面に、ユーザの端末装置から送られた情報に基づいて表示を行う電子会議支援装置であって、
前記端末装置と前記表示面とが近接していることを検出する検出手段と、
前記検出手段により前記近接していることが検出されたとき、前記表示面上で前記端末装置に近接している位置に関する第１の情報の取得を行う第１の取得手段と、
前記検出手段により前記近接していることが検出されたとき、前記端末装置を特定する第２の情報の取得を行う第２の取得手段と、
前記第１の取得手段により取得された第１の情報と前記第２の取得手段により取得された第２の情報とに基づいて、前記表示面上で前記端末装置に近接している位置に対応する位置を前記端末装置に対応する予約位置として設定する予約手段と、
前記端末装置と前記表示面とが近接していない状態で前記端末装置が行った表示指示の受け付けを行う受付手段と、
前記受付手段により前記表示指示が受け付けられたとき、前記端末装置から前記表示装置へネットワークを経由して送信された画像データに基づいて、前記予約手段により設定された予約位置に表示を行う表示制御手段とを備え、
前記表示制御手段は、前記表示を行う位置に他の画像が表示されているか否かを検知し、その検知結果に応じて、前記表示を行う、電子会議支援装置。
【請求項２７】
表示面を有する表示装置と、
前記表示装置と通信を行う請求項１から２６のいずれかに記載の電子会議支援装置と、
前記電子会議支援装置及び前記表示装置のうち少なくとも一方との間で通信を行う端末装置とを備えた電子会議システムであって、
前記端末装置と前記表示面とが近接しているとき、前記検出手段がそれを検知し、
前記端末装置が前記表示指示を行ったとき、前記表示面に、前記表示制御手段による制御に基づいて表示が行われる、電子会議システム。
【請求項２８】
前記電子会議支援装置は、前記表示装置に設けられている、請求項２７に記載の電子会議システム。
【請求項２９】
表示面と、
請求項１から２６のいずれかに記載の電子会議支援装置とを備え、
ユーザの端末装置が前記表示面に近接しているとき、前記検出手段がそれを検知し、
前記端末装置が前記表示指示を行ったとき、前記表示面に、前記表示制御手段による制御に基づいて表示が行われる、表示装置。
【請求項３０】
請求項１から２６のいずれかに記載の電子会議支援装置を備える、画像形成装置。
【請求項３１】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記予約ステップにより前記予約位置が設定されている状態において、前記端末装置と前記表示面とが近接していないとき、前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備える、電子会議支援装置の制御方法。
【請求項３２】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとを備え、
前記表示制御ステップは、前記表示を行う位置に他の画像が表示されているとき、ユーザから受け付けた、所定の複数の表示モードのいずれかを指定する指示に応じた表示モードで前記表示を行う、電子会議支援装置の制御方法。
【請求項３３】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記表示制御ステップは、前記表示を行う位置に他の画像が表示されているとき、ユーザから受け付けた、所定の複数の表示モードのいずれかを指定する指示に応じた表示モードで前記表示を行う、電子会議支援装置の制御方法。
【請求項３４】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとを備え、
前記表示制御ステップは、前記表示を行う位置に他の画像が表示されているとき、所定の複数の表示モードのうち前記他の画像の属性に応じた表示モードで、前記表示を行う、電子会議支援装置の制御方法。
【請求項３５】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記表示制御ステップは、前記表示を行う位置に他の画像が表示されているとき、所定の複数の表示モードのうち前記他の画像の属性に応じた表示モードで、前記表示を行う、電子会議支援装置の制御方法。
【請求項３６】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとを備え、
前記表示装置が複数の表示面を切替えて表示可能である場合において、
前記予約ステップは、前記複数の表示面のうち特定の表示面について、前記予約位置の設定を行う、電子会議支援装置の制御方法。
【請求項３７】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとを備え、
前記表示装置が複数の表示面を切替えて表示可能である場合において、
前記予約ステップは、前記複数の表示面のそれぞれに共通して前記予約位置の設定を行い、
前記表示制御ステップは、前記受付ステップにより前記表示指示が受け付けられたとき、前記複数の表示面のそれぞれの予約位置に共通して前記表示を行う、電子会議支援装置の制御方法。
【請求項３８】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記表示装置が複数の表示面を切替えて表示可能である場合において、
前記予約ステップは、前記複数の表示面のうち特定の表示面について、前記予約位置の設定を行う、電子会議支援装置の制御方法。
【請求項３９】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記表示装置が複数の表示面を切替えて表示可能である場合において、
前記予約ステップは、前記複数の表示面のそれぞれに共通して前記予約位置の設定を行い、
前記表示制御ステップは、前記受付ステップにより前記表示指示が受け付けられたとき、前記複数の表示面のそれぞれの予約位置に共通して前記表示を行う、電子会議支援装置の制御方法。
【請求項４０】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップと、
前記予約ステップにより設定された前記表示面上の予約位置を前記表示面上にマーキング表示する予約表示ステップとを備える、電子会議支援装置の制御方法。
【請求項４１】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記予約ステップは、前記第１の取得ステップにより取得された第１の情報と前記第２の取得ステップにより取得された第２の情報とを対応付けた情報を記憶することで、前記予約位置の設定を行い、
前記表示制御ステップは、前記受付ステップにより前記表示指示が受け付けられたとき、前記表示指示と、前記予約ステップにより記憶された情報とに基づいて、前記表示面上の前記端末装置に対応する位置を特定し、その特定した位置に前記端末装置から送られた情報に基づいて表示を行う、電子会議支援装置の制御方法。
【請求項４２】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップと、
前記検出ステップにより前記近接していることが検出されたとき、前記端末装置から送信されたサイズ指定情報を取得する第３の取得ステップとを備え、
前記表示制御ステップは、前記第３の取得ステップにより取得された前記サイズ指定情報に応じた大きさで前記表示を行う、電子会議支援装置の制御方法。
【請求項４３】
表示装置の表示面に、ユーザの端末装置から送られた情報に基づいて表示を行う電子会議支援装置の制御方法であって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとを備え、
前記表示制御ステップは、前記表示を行う位置に他の画像が表示されているか否かを検知し、その検知結果に応じて、前記表示を行う、電子会議支援装置の制御方法。
【請求項４４】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記予約ステップにより前記予約位置が設定されている状態において、前記端末装置と前記表示面とが近接していないとき、前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させる、電子会議支援装置の制御プログラム。
【請求項４５】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとをコンピュータに実行させ、
前記表示制御ステップは、前記表示を行う位置に他の画像が表示されているとき、ユーザから受け付けた、所定の複数の表示モードのいずれかを指定する指示に応じた表示モードで前記表示を行う、電子会議支援装置の制御プログラム。
【請求項４６】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記表示制御ステップは、前記表示を行う位置に他の画像が表示されているとき、ユーザから受け付けた、所定の複数の表示モードのいずれかを指定する指示に応じた表示モードで前記表示を行う、電子会議支援装置の制御プログラム。
【請求項４７】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとをコンピュータに実行させ、
前記表示制御ステップは、前記表示を行う位置に他の画像が表示されているとき、所定の複数の表示モードのうち前記他の画像の属性に応じた表示モードで、前記表示を行う、電子会議支援装置の制御プログラム。
【請求項４８】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記表示制御ステップは、前記表示を行う位置に他の画像が表示されているとき、所定の複数の表示モードのうち前記他の画像の属性に応じた表示モードで、前記表示を行う、電子会議支援装置の制御プログラム。
【請求項４９】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとをコンピュータに実行させ、
前記表示装置が複数の表示面を切替えて表示可能である場合において、
前記予約ステップは、前記複数の表示面のうち特定の表示面について、前記予約位置の設定を行う、電子会議支援装置の制御プログラム。
【請求項５０】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置が行った表示指示の受け付けを行う受付ステップと、
前記受付ステップにより前記表示指示が受け付けられたとき、前記端末装置から送られた情報に基づいて、前記予約ステップにより設定された予約位置に表示を行う表示制御ステップとをコンピュータに実行させ、
前記表示装置が複数の表示面を切替えて表示可能である場合において、
前記予約ステップは、前記複数の表示面のそれぞれに共通して前記予約位置の設定を行い、
前記表示制御ステップは、前記受付ステップにより前記表示指示が受け付けられたとき、前記複数の表示面のそれぞれの予約位置に共通して前記表示を行う、電子会議支援装置の制御プログラム。
【請求項５１】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記表示装置が複数の表示面を切替えて表示可能である場合において、
前記予約ステップは、前記複数の表示面のうち特定の表示面について、前記予約位置の設定を行う、電子会議支援装置の制御プログラム。
【請求項５２】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記表示装置が複数の表示面を切替えて表示可能である場合において、
前記予約ステップは、前記複数の表示面のそれぞれに共通して前記予約位置の設定を行い、
前記表示制御ステップは、前記受付ステップにより前記表示指示が受け付けられたとき、前記複数の表示面のそれぞれの予約位置に共通して前記表示を行う、電子会議支援装置の制御プログラム。
【請求項５３】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップと、
前記予約ステップにより設定された前記表示面上の予約位置を前記表示面上にマーキング表示する予約表示ステップとをコンピュータに実行させる、電子会議支援装置の制御プログラム。
【請求項５４】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記予約ステップは、前記第１の取得ステップにより取得された第１の情報と前記第２の取得ステップにより取得された第２の情報とを対応付けた情報を記憶することで、前記予約位置の設定を行い、
前記表示制御ステップは、前記受付ステップにより前記表示指示が受け付けられたとき、前記表示指示と、前記予約ステップにより記憶された情報とに基づいて、前記表示面上の前記端末装置に対応する位置を特定し、その特定した位置に前記端末装置から送られた情報に基づいて表示を行う、電子会議支援装置の制御プログラム。
【請求項５５】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップと、
前記検出ステップにより前記近接していることが検出されたとき、前記端末装置から送信されたサイズ指定情報を取得する第３の取得ステップとをコンピュータに実行させ、
前記表示制御ステップは、前記第３の取得ステップにより取得された前記サイズ指定情報に応じた大きさで前記表示を行う、電子会議支援装置の制御プログラム。
【請求項５６】
表示装置の表示面に、ユーザの端末装置から送られた情報に基づいて表示を行う電子会議支援装置の制御プログラムであって、
前記端末装置と前記表示面とが近接していることを検出する検出ステップと、
前記検出ステップにより前記近接していることが検出されたとき、前記表示面上で前記端末装置に近接している位置に関する第１の情報の取得を行う第１の取得ステップと、
前記検出ステップにより前記近接していることが検出されたとき、前記端末装置を特定する第２の情報の取得を行う第２の取得ステップと、
前記第１の取得ステップにより取得された第１の情報と前記第２の取得ステップにより取得された第２の情報とに基づいて、前記表示面上で前記端末装置に近接している位置に対応する位置を前記端末装置に対応する予約位置として設定する予約ステップと、
前記端末装置と前記表示面とが近接していない状態で前記端末装置が行った表示指示の受け付けを行う受付ステップと、
前記受付ステップにより前記表示指示が受け付けられたとき、前記端末装置から前記表示装置へネットワークを経由して送信された画像データに基づいて、前記予約ステップにより設定された予約位置に表示を行う表示制御ステップとをコンピュータに実行させ、
前記表示制御ステップは、前記表示を行う位置に他の画像が表示されているか否かを検知し、その検知結果に応じて、前記表示を行う、電子会議支援装置の制御プログラム。
【発明の詳細な説明】
【技術分野】
【０００１】
この発明は、電子会議支援装置、電子会議システム、表示装置、画像形成装置、電子会議支援装置の制御方法、及び電子会議支援装置の制御プログラムに関し、特に、会議において用いられる表示装置に表示させる情報の制御を行う電子会議支援装置、電子会議システム、表示装置、画像形成装置、電子会議支援装置の制御方法、及び電子会議支援装置の制御プログラムに関する。
【背景技術】
【０００２】
ＬＡＮ（Ｌｏｃａｌ  Ａｒｅａ  Ｎｅｔｗｏｒｋ）などのネットワークを介して接続された機器を用いて会議を行う電子会議が行われている。電子会議には、インターネットを介して異なる地点間で行われるものや、同一の地点で複数の機器を連携させて行われるものなど、種々の形態のものがある。
【０００３】
近年、同一の会議室などに参集し、表示装置（電子黒板、ホワイトボード、その他のディスプレイ、プロジェクタなど）により表示される画面に、各参加者が持ち寄った情報（意見、資料など）を表示させて、参加者の意見集約を試みるような形態の電子会議が行われる場合がある。このような電子会議を便利に行うため、ユーザの端末装置を表示させたい表示装置の位置にタッチすることで、その意見や参考情報を好きな位置に表示できる、操作性の良い意見集約を行うシステムが提案されている。
【０００４】
下記特許文献１には、各出席者が、アイデアの内容を表すメモを携帯端末上で入力・作成し、携帯端末を表示画面に接触させることで、このメモを表示装置の表示画面に表示させることができるようにする画像管理装置が開示されている。
【０００５】
下記特許文献２には、携帯端末に画像を表示させた状態で、携帯端末を表示装置に接触させ、所定の操作を行うことで、所定の操作に応じた大きさで携帯端末の画像を表示装置に表示させることができる画像貼付システムが開示されている。
【０００６】
なお、下記特許文献３には、表示位置やサイズを指定して端末から任意の端末ファイルを表示装置に送信すると、指定内容に応じた位置やサイズで、表示装置の共有画面に端末ファイルを表示させる会議用のシステムが開示されている。
【先行技術文献】
【特許文献】
【０００７】
【特許文献１】特開２０１０−２０５１３７号公報
【特許文献２】特開２００７−３１６９２５号公報
【特許文献３】特開２００２−１４９６１５号公報
【発明の概要】
【発明が解決しようとする課題】
【０００８】
ところで、大人数で上記のような電子会議が行われる場合などにおいて、時として問題が発生することがあった。すなわち、上述の特許文献１又は特許文献２に記載されているようなシステムを利用する場合には、各参加者が意見集約（表示装置への情報の表示）を行うためには、表示装置の近くまで来る必要がある。そうすると、表示装置の前が参加者で混雑してしまい、スムーズな会議の準備や進行が妨げられる場合がある。これに対して、特許文献３に記載されているようなシステムを利用する場合には、表示画面上での直感的な操作によっては意見集約を行うことができないという問題がある。
【０００９】
この発明はそのような問題点を解決するためになされたものであり、スムーズに会議を進行、準備することができ、かつ、直感的な意見集約操作を可能とする電子会議支援装置、電子会議システム、表示装置、画像形成装置、電子会議支援装置の制御方法、及び電子会議支援装置の制御プログラムを提供することを目的としている。
【課題を解決するための手段】
【００１０】
上記目的を達成するためこの発明のある局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、予約手段により予約位置が設定されている状態において、端末装置と表示面とが近接していないとき、端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備える。
好ましくは、表示制御手段は、表示を行う位置に他の画像が表示されているとき、ユーザから受け付けた、所定の複数の表示モードのいずれかを指定する指示に応じた表示モードで表示を行う。
好ましくは、表示制御手段は、表示を行う位置に他の画像が表示されているとき、所定の複数の表示モードのうち他の画像の属性に応じた表示モードで、表示を行う。
好ましくは、他の画像の属性には、少なくとも、その画像が端末装置に対応するものであるか他の端末装置に対応するものであるかを示すものが含まれる。
好ましくは、所定の複数の表示モードには、少なくとも、他の画像に対して上書き表示を行うモードと、他の画像に対して透過表示を行うモードとが含まれる。
好ましくは、表示装置が複数の表示面を切替えて表示可能である場合において、予約手段は、複数の表示面のうち特定の表示面について、予約位置の設定を行う。
好ましくは、表示装置が複数の表示面を切替えて表示可能である場合において、予約手段は、複数の表示面のそれぞれに共通して予約位置の設定を行い、表示制御手段は、受付手段により表示指示が受け付けられたとき、複数の表示面のそれぞれの予約位置に共通して表示を行う。
【００１４】
この発明の他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置が行った表示指示の受け付けを行う受付手段と、受付手段により表示指示が受け付けられたとき、端末装置から送られた情報に基づいて、予約手段により設定された予約位置に表示を行う表示制御手段とを備え、表示制御手段は、表示を行う位置に他の画像が表示されているとき、ユーザから受け付けた、所定の複数の表示モードのいずれかを指定する指示に応じた表示モードで表示を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置が行った表示指示の受け付けを行う受付手段と、受付手段により表示指示が受け付けられたとき、端末装置から送られた情報に基づいて、予約手段により設定された予約位置に表示を行う表示制御手段とを備え、表示制御手段は、表示を行う位置に他の画像が表示されているとき、所定の複数の表示モードのうち他の画像の属性に応じた表示モードで、表示を行う。
【００１５】
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置が行った表示指示の受け付けを行う受付手段と、受付手段により表示指示が受け付けられたとき、端末装置から送られた情報に基づいて、予約手段により設定された予約位置に表示を行う表示制御手段とを備え、表示制御手段は、表示を行う位置に他の画像が表示されているとき、所定の複数の表示モードのうち他の画像の属性に応じた表示モードで、表示を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備え、表示制御手段は、表示を行う位置に他の画像が表示されているとき、所定の複数の表示モードのうち他の画像の属性に応じた表示モードで、表示を行う。
【００１６】
好ましくは他の画像の属性には、少なくとも、その画像が端末装置に対応するものであるか他の端末装置に対応するものであるかを示すものが含まれる。
【００１７】
好ましくは所定の複数の表示モードには、少なくとも、他の画像に対して上書き表示を行うモードと、他の画像に対して透過表示を行うモードとが含まれる。
【００２０】
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置が行った表示指示の受け付けを行う受付手段と、受付手段により表示指示が受け付けられたとき、端末装置から送られた情報に基づいて、予約手段により設定された予約位置に表示を行う表示制御手段とを備え、表示装置が複数の表示面を切替えて表示可能である場合において、予約手段は、複数の表示面のうち特定の表示面について、予約位置の設定を行う。
【００２１】
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置が行った表示指示の受け付けを行う受付手段と、受付手段により表示指示が受け付けられたとき、端末装置から送られた情報に基づいて、予約手段により設定された予約位置に表示を行う表示制御手段とを備え、表示装置が複数の表示面を切替えて表示可能である場合において、予約手段は、複数の表示面のそれぞれに共通して予約位置の設定を行い、表示制御手段は、受付手段により表示指示が受け付けられたとき、複数の表示面のそれぞれの予約位置に共通して表示を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備え、表示装置が複数の表示面を切替えて表示可能である場合において、予約手段は、複数の表示面のうち特定の表示面について、予約位置の設定を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備え、表示装置が複数の表示面を切替えて表示可能である場合において、予約手段は、複数の表示面のそれぞれに共通して予約位置の設定を行い、表示制御手段は、受付手段により表示指示が受け付けられたとき、複数の表示面のそれぞれの予約位置に共通して表示を行う。
好ましくは予約手段は、第１の取得手段により取得された第１の情報と第２の取得手段により取得された第２の情報とを対応付けた情報を記憶することで、予約位置の設定を行い、表示制御手段は、受付手段により表示指示が受け付けられたとき、表示指示と、予約手段により記憶された情報とに基づいて、表示面上の端末装置に対応する位置を特定し、その特定した位置に端末装置から送られた情報に基づいて表示を行う。
好ましくは電子会議支援装置は、検出手段により近接していることが検出されたとき、端末装置から送信されたサイズ指定情報を取得する第３の取得手段をさらに備え、表示制御手段は、第３の取得手段により取得されたサイズ指定情報に応じた大きさで表示を行う。
好ましくは表示制御手段は、表示を行う位置に他の画像が表示されているか否かを検知し、その検知結果に応じて、表示を行う。
好ましくは電子会議支援装置は、予約手段により設定された表示面上の予約位置を表示面上にマーキング表示する予約表示手段をさらに備える。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段と、予約手段により設定された表示面上の予約位置を表示面上にマーキング表示する予約表示手段とを備える。
好ましくはマーキング表示には、その予約位置に対応する端末装置の名及び端末装置に対応するユーザの名のうち少なくとも一方が含まれる。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備え、予約手段は、第１の取得手段により取得された第１の情報と第２の取得手段により取得された第２の情報とを対応付けた情報を記憶することで、予約位置の設定を行い、表示制御手段は、受付手段により表示指示が受け付けられたとき、表示指示と、予約手段により記憶された情報とに基づいて、表示面上の端末装置に対応する位置を特定し、その特定した位置に端末装置から送られた情報に基づいて表示を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段と、検出手段により近接していることが検出されたとき、端末装置から送信されたサイズ指定情報を取得する第３の取得手段とを備え、表示制御手段は、第３の取得手段により取得されたサイズ指定情報に応じた大きさで表示を行う。
この発明のさらに他の局面に従うと、表示装置の表示面に、ユーザの端末装置から送られた情報に基づいて表示を行う電子会議支援装置は、端末装置と表示面とが近接していることを検出する検出手段と、検出手段により近接していることが検出されたとき、表示面上で端末装置に近接している位置に関する第１の情報の取得を行う第１の取得手段と、検出手段により近接していることが検出されたとき、端末装置を特定する第２の情報の取得を行う第２の取得手段と、第１の取得手段により取得された第１の情報と第２の取得手段により取得された第２の情報とに基づいて、表示面上で端末装置に近接している位置に対応する位置を端末装置に対応する予約位置として設定する予約手段と、端末装置と表示面とが近接していない状態で端末装置が行った表示指示の受け付けを行う受付手段と、受付手段により表示指示が受け付けられたとき、端末装置から表示装置へネットワークを経由して送信された画像データに基づいて、予約手段により設定された予約位置に表示を行う表示制御手段とを備え、表示制御手段は、表示を行う位置に他の画像が表示されているか否かを検知し、その検知結果に応じて、表示を行う。
【００２２】
この発明の他の局面に従うと、電子会議システムは、表示面を有する表示装置と、表示装置と通信を行う上述のいずれかに記載の電子会議支援装置と、電子会議支援装置及び表示装置のうち少なくとも一方との間で通信を行う端末装置とを備え、端末装置と表示面とが近接しているとき、検出手段がそれを検知し、端末装置が表示指示を行ったとき、表示面に、表示制御手段による制御に基づいて表示が行われる。
【００２３】
好ましくは電子会議支援装置は、表示装置に設けられている。
【００２４】
この発明のさらに他の局面に従うと、表示装置は、表示面と、上述のいずれかに記載の電子会議支援装置とを備え、ユーザの端末装置が表示面に近接しているとき、検出手段がそれを検知し、端末装置が表示指示を行ったとき、表示面に、表示制御手段による制御に基づいて表示が行われる。
【００２５】
この発明のさらに他の局面に従うと、画像形成装置は、上述のいずれかに記載の電子会議支援装置を備える。
【００２６】
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、予約ステップにより予約位置が設定されている状態において、端末装置と表示面とが近接していないとき、端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備える。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとを備え、表示制御ステップは、表示を行う位置に他の画像が表示されているとき、ユーザから受け付けた、所定の複数の表示モードのいずれかを指定する指示に応じた表示モードで表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、表示制御ステップは、表示を行う位置に他の画像が表示されているとき、ユーザから受け付けた、所定の複数の表示モードのいずれかを指定する指示に応じた表示モードで表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとを備え、表示制御ステップは、表示を行う位置に他の画像が表示されているとき、所定の複数の表示モードのうち他の画像の属性に応じた表示モードで、表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、表示制御ステップは、表示を行う位置に他の画像が表示されているとき、所定の複数の表示モードのうち他の画像の属性に応じた表示モードで、表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとを備え、表示装置が複数の表示面を切替えて表示可能である場合において、予約ステップは、複数の表示面のうち特定の表示面について、予約位置の設定を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとを備え、表示装置が複数の表示面を切替えて表示可能である場合において、予約ステップは、複数の表示面のそれぞれに共通して予約位置の設定を行い、表示制御ステップは、受付ステップにより表示指示が受け付けられたとき、複数の表示面のそれぞれの予約位置に共通して表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、表示装置が複数の表示面を切替えて表示可能である場合において、予約ステップは、複数の表示面のうち特定の表示面について、予約位置の設定を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、表示装置が複数の表示面を切替えて表示可能である場合において、予約ステップは、複数の表示面のそれぞれに共通して予約位置の設定を行い、表示制御ステップは、受付ステップにより表示指示が受け付けられたとき、複数の表示面のそれぞれの予約位置に共通して表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップと、予約ステップにより設定された表示面上の予約位置を表示面上にマーキング表示する予約表示ステップとを備える。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、予約ステップは、第１の取得ステップにより取得された第１の情報と第２の取得ステップにより取得された第２の情報とを対応付けた情報を記憶することで、予約位置の設定を行い、表示制御ステップは、受付ステップにより表示指示が受け付けられたとき、表示指示と、予約ステップにより記憶された情報とに基づいて、表示面上の端末装置に対応する位置を特定し、その特定した位置に端末装置から送られた情報に基づいて表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップと、検出ステップにより近接していることが検出されたとき、端末装置から送信されたサイズ指定情報を取得する第３の取得ステップとを備え、表示制御ステップは、第３の取得ステップにより取得されたサイズ指定情報に応じた大きさで表示を行う。
この発明のさらに他の局面に従うと、表示装置の表示面に、ユーザの端末装置から送られた情報に基づいて表示を行う電子会議支援装置の制御方法は、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとを備え、表示制御ステップは、表示を行う位置に他の画像が表示されているか否かを検知し、その検知結果に応じて、表示を行う。
【００２７】
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、予約ステップにより予約位置が設定されている状態において、端末装置と表示面とが近接していないとき、端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させる。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとをコンピュータに実行させ、表示制御ステップは、表示を行う位置に他の画像が表示されているとき、ユーザから受け付けた、所定の複数の表示モードのいずれかを指定する指示に応じた表示モードで表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、表示制御ステップは、表示を行う位置に他の画像が表示されているとき、ユーザから受け付けた、所定の複数の表示モードのいずれかを指定する指示に応じた表示モードで表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとをコンピュータに実行させ、表示制御ステップは、表示を行う位置に他の画像が表示されているとき、所定の複数の表示モードのうち他の画像の属性に応じた表示モードで、表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、表示制御ステップは、表示を行う位置に他の画像が表示されているとき、所定の複数の表示モードのうち他の画像の属性に応じた表示モードで、表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとをコンピュータに実行させ、表示装置が複数の表示面を切替えて表示可能である場合において、予約ステップは、複数の表示面のうち特定の表示面について、予約位置の設定を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置が行った表示指示の受け付けを行う受付ステップと、受付ステップにより表示指示が受け付けられたとき、端末装置から送られた情報に基づいて、予約ステップにより設定された予約位置に表示を行う表示制御ステップとをコンピュータに実行させ、表示装置が複数の表示面を切替えて表示可能である場合において、予約ステップは、複数の表示面のそれぞれに共通して予約位置の設定を行い、表示制御ステップは、受付ステップにより表示指示が受け付けられたとき、複数の表示面のそれぞれの予約位置に共通して表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、表示装置が複数の表示面を切替えて表示可能である場合において、予約ステップは、複数の表示面のうち特定の表示面について、予約位置の設定を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、表示装置が複数の表示面を切替えて表示可能である場合において、予約ステップは、複数の表示面のそれぞれに共通して予約位置の設定を行い、表示制御ステップは、受付ステップにより表示指示が受け付けられたとき、複数の表示面のそれぞれの予約位置に共通して表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップと、予約ステップにより設定された表示面上の予約位置を表示面上にマーキング表示する予約表示ステップとをコンピュータに実行させる。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、予約ステップは、第１の取得ステップにより取得された第１の情報と第２の取得ステップにより取得された第２の情報とを対応付けた情報を記憶することで、予約位置の設定を行い、表示制御ステップは、受付ステップにより表示指示が受け付けられたとき、表示指示と、予約ステップにより記憶された情報とに基づいて、表示面上の端末装置に対応する位置を特定し、その特定した位置に端末装置から送られた情報に基づいて表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップと、検出ステップにより近接していることが検出されたとき、端末装置から送信されたサイズ指定情報を取得する第３の取得ステップとをコンピュータに実行させ、表示制御ステップは、第３の取得ステップにより取得されたサイズ指定情報に応じた大きさで表示を行う。
この発明のさらに他の局面に従うと、表示装置の表示面に、ユーザの端末装置から送られた情報に基づいて表示を行う電子会議支援装置の制御プログラムは、端末装置と表示面とが近接していることを検出する検出ステップと、検出ステップにより近接していることが検出されたとき、表示面上で端末装置に近接している位置に関する第１の情報の取得を行う第１の取得ステップと、検出ステップにより近接していることが検出されたとき、端末装置を特定する第２の情報の取得を行う第２の取得ステップと、第１の取得ステップにより取得された第１の情報と第２の取得ステップにより取得された第２の情報とに基づいて、表示面上で端末装置に近接している位置に対応する位置を端末装置に対応する予約位置として設定する予約ステップと、端末装置と表示面とが近接していない状態で端末装置が行った表示指示の受け付けを行う受付ステップと、受付ステップにより表示指示が受け付けられたとき、端末装置から表示装置へネットワークを経由して送信された画像データに基づいて、予約ステップにより設定された予約位置に表示を行う表示制御ステップとをコンピュータに実行させ、表示制御ステップは、表示を行う位置に他の画像が表示されているか否かを検知し、その検知結果に応じて、表示を行う。
【発明の効果】
【００２８】
これらの発明に従うと、端末装置で表示指示が行われると、電子会議支援装置は、それを受け付け、予約位置に表示を行う。したがって、スムーズに会議を進行、準備することができ、かつ、直感的な意見集約操作を可能とする電子会議支援装置、電子会議システム、表示装置、画像形成装置、電子会議支援装置の制御方法、及び電子会議支援装置の制御プログラムを提供することができる。
【図面の簡単な説明】
【００２９】
【図１】本発明の実施の形態の１つにおける電子会議システムの構成を示すブロック図である。
【図２】ＭＦＰを示す斜視図である。
【図３】ＭＦＰのハードウェア構成を示すブロック図である。
【図４】端末装置のハードウェア構成を示すブロック図である。
【図５】表示装置のハードウェア構成を示すブロック図である。
【図６】表示装置の概略構成を示す正面図である。
【図７】表示装置に端末装置が近接したときの状態の一例を説明する正面図である。
【図８】電子会議システムを用いて行われる会議の実行例を説明する第１の図である。
【図９】電子会議システムを用いて行われる会議の実行例を説明する第２の図である。
【図１０】端末装置の操作画面の一例を示す図である。
【図１１】予約表示機能の実行時において予約位置が確保されるまでの各装置の動作の流れを説明するシーケンス図である。
【図１２】予約表示機能の実行時において予約位置が確保された後に実行される各装置の動作の流れを説明するシーケンス図である。
【図１３】端末装置の予約設定画面を示す図である。
【図１４】表示制御を示すフローチャートである。
【図１５】重なり処理を示すフローチャートである。
【図１６】表示部にマーキング表示が行われている状態の一例を示す図である。
【図１７】ＭＦＰが電子会議支援装置として機能する場合の変形例に係る予約表示機能の流れを示す第１のシーケンス図である。
【図１８】ＭＦＰが電子会議支援装置として機能する場合の変形例に係る予約表示機能の流れを示す第２のシーケンス図である。
【図１９】端末装置自身が電子会議支援装置として機能する場合の変形例に係る予約表示機能の流れを示す第１のシーケンス図である。
【図２０】端末装置自身が電子会議支援装置として機能する場合の変形例に係る予約表示機能の流れを示す第２のシーケンス図である。
【発明を実施するための形態】
【００３０】
以下、本発明の実施の形態の１つにおける電子会議システムについて説明する。
【００３１】
電子会議システムは、端末装置、表示装置、及びサーバとして機能するＭＦＰ（画像形成装置）などで構成されている。各装置は、ネットワークを介して接続されている。端末装置は、無線接続により、ネットワークに接続されている。
【００３２】
端末装置は、例えば、電子ペーパーやディスプレイなどのタッチパネルを有するものである。端末装置は、タッチ操作可能な操作表示部（例えば複数か所を同時にタッチ操作できるいわゆるマルチタッチ型のもの）、画像又は文書を記憶する記憶部、指向性が比較的高く表示装置との間で位置検出するための通信部、表示装置やサーバなどと画像データや画像サイズ情報の通信が可能な転送部、及び各部の制御を行う制御部などを有している。
【００３３】
表示装置は、例えば、電子黒板、ホワイトボード、又はディスプレイなどである。表示装置は、表示部、通信部、位置特定部や端末特定部として機能する制御部、管理部、記憶部、転送部などを有している。表示部には、端末装置から送信された画像や、電子ペンなどにより直接記入された画像などが表示される。通信部は、表示画面上の多数位置に埋め込まれている。通信部は、指向性が比較的高く、端末装置との間で通信し、端末装置が近接したこと（接近したこと又は接触したこと）を検出する。位置特定部は、表示画面上での端末装置の接触位置を特定する。端末特定部は、表示部に近接した端末を特定する。管理部は、端末装置が近接している位置を基準に、後述の予約表示機能を行う。記憶部は、表示部に表示する画像データや所定領域の画像データなどを記憶する。転送部は、端末装置やサーバなどと画像データや画像サイズ情報の通信を行う。
【００３４】
サーバとしてのＭＦＰは、画像を印刷（プリント）するための部位のほか、画像又は文書を記憶する記憶部、制御部、及び端末装置や表示装置などと画像データの通信を行う転送部などを有している。ＭＦＰは、用紙などをローラにより搬送しその用紙に印刷を行うプリント機能や、文書データなどを記憶部などに保存するサーバ機能などを有している。
【００３５】
本実施の形態において、例えば表示装置は、予約表示機能を実行する電子会議支援装置として機能する。予約表示機能は、次のような機能である。すなわち、ユーザが、表示装置の表示部のうちデータを追記したい位置に、端末装置をかざすと、その位置が電子会議支援装置により検出され、その検出された位置と端末装置との関係が記憶される（予約）。そして、その後、端末装置において当該予約位置に追記したい情報が構築され、表示指示が行われたとき、その情報を表示装置に転送し、その情報を表示部上の指定された位置（予約位置）に表示させることができる。すなわち、予約表示機能では、後から画像を表示するための領域を陣取ることができる。ユーザは、表示装置の表示部に表示されている画像のうち所望の位置に端末装置をかざすことで、表示を行う位置を予約することができ、後から、表示を行う内容を調整できる。なお、例えばＭＦＰが電子会議支援装置として機能するようにしたり、端末装置が電子会議支援装置として機能したりするようにしてもよい。
【００３６】
このような予約表示機能が行われることで、多くのユーザが参加する会議などにおいて表示装置にそれぞれのユーザの情報を表示させて意見集約を行うときであっても、表示装置の前でユーザの混雑が発生することを避けられる。また、直感的な操作によって意見集約を行うことができるので、ユーザの利便性を向上させることができる。
【００３７】
予約表示機能は、次のようにして行われる。すなわち、端末装置が表示部に近接すると、表示装置が、端末装置が表示部に近接していることを検知する。表示装置は、端末装置が近接している位置を特定し、特定した位置の情報と近接している端末装置の情報とを紐付けて記憶する。その後、端末装置に構築された情報を表示装置に転送する指示があったとき、それに応答して、端末装置に構築された情報を受信し、その端末装置について記憶されている予約位置（陣取った領域）に、受信した情報を表示させる。このとき、端末装置において予め表示した表示画像の大きさを設定できるようにし、それに応じて表示装置に表示される画像サイズを変更するようにしてもよい。
【００３８】
ここで、予約位置に画像を表示させるときの動作モードとして、例えば他の画像に対して上書き表示を行うモードと、他の画像に対して透過表示させるモードとのうちいずれを適用するか選択可能であってもよい。また、これらのモードのうち、いずれを動作モードとするか、種々の条件に応じて自動的に選択されるようにしてもよい。種々の条件としては、例えば、予約位置の近くに他の画像がある場合において、その画像がその端末装置からの指示により表示されている画像であるか、他の端末装置からの指示により表示されている画像であるかなどが挙げられる。
【００３９】
なお、予約位置が表示部上にマーキング表示されるようにし、それにより、ユーザが予約位置やその大きさなどを容易に見て取れるように構成されていてもよい。また、このようにマーキング表示が行われるとき、マーキングにあわせて、ユーザ名や端末装置名などが表示されるようにしてもよい。
【００４０】
また、表示部に複数のページの画像（表示面）を互いに切替えながら表示させることができる表示装置を用いているとき、予約位置を、これらの複数のページの表示面毎に設定できるようにしたり、複数のページの表示面に共通して設定できるようにしたりしてもよい。
【００４１】
［実施の形態］
【００４２】
図１は、本発明の実施の形態の１つにおける電子会議システムの構成を示すブロック図である。
【００４３】
図１に示されるように、電子会議システム１１は、例えばネットワーク８０１にそれぞれ接続された複数の装置を有している。すなわち、電子会議システム１１は、ＭＦＰ（サーバ；画像形成装置）１０１と、複数の端末装置２０１と、表示装置３０１と、複数のＰＣ４０１などを有している。複数の端末装置２０１としては、例えば、第１の端末装置（端末装置１）２０１ａ、第２の端末装置（端末装置２）２０１ｂ、…、第ｎの端末装置（端末装置ｎ）２０１などが用いられている。ここでは、これらを区別せず、それぞれを端末装置２０１という。また、複数のＰＣ４０１としては、例えば、第１のＰＣ（ＰＣ１）４０１ａ、第２のＰＣ（ＰＣ２）４０１ｂ、…、第ｎのＰＣ（ＰＣｎ）４０１などが用いられている。ここでは、これらを区別せず、それぞれをＰＣ４０１という。
【００４４】
ネットワーク８０１は、例えば構内情報通信網（ＬＡＮ）である。ＭＦＰ１０１、表示装置３０１、及びＰＣ４０１などは、それぞれ、例えば有線通信可能にネットワーク８０１に接続されている。これらの機器は、無線通信可能にネットワーク８０１に接続されていてもよい。他方、端末装置２０１は、無線通信可能にネットワーク８０１に接続されている。端末装置２０１は、ユーザが手に持って自由に移動できる携帯可能なものである。
【００４５】
［ＭＦＰ１０１の構成］
【００４６】
図２は、ＭＦＰ１０１を示す斜視図である。図３は、ＭＦＰ１０１のハードウェア構成を示すブロック図である。
【００４７】
図２に示すように、ＭＦＰ１０１は、給紙カセット１０３と、排紙トレイ１０５と、操作パネル１１１と、制御部１２１と、印刷部１３１と、スキャナ部１４１とを備える。制御部１２１は、ＭＦＰ１０１の動作を制御する。制御部１２１、印刷部１３１、及びスキャナ部１４１などは、ＭＦＰ１０１の筐体の内部に配置されている。
【００４８】
このＭＦＰ１０１は、３つの給紙カセット１０３（給紙カセット１０３ａ，１０３ｂ，１０３ｃ）を有している。それぞれの給紙カセット１０３には、例えば、互いに異なるサイズの用紙（Ｂ５サイズ、Ａ４サイズ、及びＡ３サイズなど）が装てんされている。給紙カセット１０３は、ＭＦＰ１０１の下部に、ＭＦＰ１０１の筐体に抜き差し可能に配置されている。各給紙カセット１０３に装てんされた用紙は、印字時に、１枚ずつ給紙カセット１０３から給紙され、印刷部１３１に送られる。なお、給紙カセット１０３の数は３つに限られず、それより多くても少なくてもよい。
【００４９】
排紙トレイ１０５は、ＭＦＰ１０１の筐体のうち印刷部１３１が収納されている部位の上方でスキャナ部１４１が配置されている部位の下方に配置されている。排紙トレイ５には、印刷部１３１により画像が形成された用紙が筐体の内部から排紙される。
【００５０】
印刷部１３１は、大まかに、トナー像形成部（図示せず）と、用紙搬送部（図示せず）と、定着装置（図示せず）とを有している。印刷部１３１は、例えば電子写真方式で用紙に画像を形成する。
【００５１】
用紙搬送部は、給紙ローラ、搬送ソーラ、及びそれらを駆動するモータなどで構成されている。用紙搬送部は、用紙を給紙カセット１０３から給紙して、ＭＦＰ１０１の筐体の内部で搬送する。また、用紙搬送部は、画像が形成された用紙をＭＦＰ１０１の筐体から排紙トレイ１０５などに排出する。
【００５２】
定着装置は、加熱ローラ及び加圧ローラを有している。定着装置は、加熱ローラと加圧ローラとでトナー像が形成された用紙を挟みながら搬送し、その用紙に加熱及び加圧を行う。これにより、定着装置は、用紙に付着したトナーを溶融させて用紙に定着させ、用紙に画像を形成する。
【００５３】
スキャナ部１４１は、ＭＦＰ１０１の筐体の上部に配置されている。スキャナ部１４１は、ＡＤＦ（Ａｕｔｏ  Ｄｏｃｕｍｅｎｔ  Ｆｅｅｄｅｒ）１４３を有している。スキャナ部１４１は、上述のスキャナ機能を実行する。スキャナ部１４１は、透明な原稿台に配置された原稿をコンタクトイメージセンサにより走査して、それを画像データとして読み取る。また、スキャナ部１４１は、原稿トレイにセットされた複数の原稿を１枚ずつＡＤＦ１４３により順次取り込みながら、コンタクトイメージセンサにより原稿を読み取り、画像データとする。
【００５４】
スキャナ部１４１により読み取られた画像は、制御部１２１により、仕上がり画像に変換される。制御部１２１は、生成した仕上がり画像を外部装置などに送信したり、仕上がり画像に基づいて印刷部１３１により用紙に画像を形成したりできる。例えば、制御部１２１は、読み取られた画像を、表示装置３０１に送り、表示装置３０１で表示させたりすることができる。
【００５５】
操作パネル１１１は、ＭＦＰ１０１の上部前面（図２において正面）側に配置されている。操作パネル１１１には、ユーザにより押下操作可能な操作ボタンが配置されている。また、操作パネル１１１には、情報をユーザに表示する表示部１１２が配置されている。
【００５６】
図３に示されるように、ＭＦＰ１０１は、上述の各部のほか、画像処理部１２３と、記憶部１２５と、転送部１５１とを有している。
【００５７】
制御部１２１は、ＭＦＰ１０１の各部に、信号を送受可能に接続されている。制御部１２１は、例えば、ＣＰＵ，ＲＯＭ，ＲＡＭなどで構成されている。制御部１２１のＲＯＭなどには、例えば、ＭＦＰ１０１の制御プログラム１２１ａが記憶されている。制御部１２１は、制御プログラム１２１ａなどを実行することにより、ＭＦＰ１０１の種々の動作を制御する。
【００５８】
画像処理部１２３は、制御部１２１により制御されて、スキャナ部１４１により読み取られた画像や外部装置から送られた画像などについて、画像処理を実行する。
【００５９】
記憶部１２５は、例えば、ＨＤＤ（Ｈａｒｄ  Ｄｉｓｋ  Ｄｒｉｖｅ）などである。記憶部１２５は、いわゆるＢＯＸと呼ばれ、ＭＦＰ１０１に接続されている外部装置などから送られた印刷ジョブのデータや、スキャナ部１４１で読み取った画像データなどを記憶する。記憶部１２５には、ＭＦＰ１０１の設定情報や、その他の制御プログラムなどが記憶されていてもよい。
【００６０】
転送部１５１は、例えばネットワークインターフェイスである。転送部１５１は、ネットワーク８０１に接続されている外部の中継装置などに、ＬＡＮケーブルなどを介して接続されている。転送部１５１は、ＭＦＰ１０１をネットワーク８０１に接続する。
【００６１】
操作パネル１１１の表示部１１２は、タッチパネルである。表示部１１２は、例えば、液晶ディスプレイ（ＬＣＤ）である。表示部１１２は、ユーザに案内画面を表示したり、操作ボタンを表示してユーザからのタッチ操作を受け付けたりする。ユーザが表示部１１２に触れたとき、その情報が制御部１２１に送られ、制御部１２１は、その情報に基づいて、操作パネル１１１の制御を行う。すなわち、ユーザは、表示部１１２に触れて操作を加えることで、操作パネル１１１の操作を行うことができる。
【００６２】
［端末装置の構成］
【００６３】
図４は、端末装置２０１のハードウェア構成を示すブロック図である。
【００６４】
図４を参照して、端末装置２０１は、操作表示部２１１と、制御部２２１と、記憶部２２５と、転送部２５１と、端末通信部２６１などを有している。本実施の形態において、端末装置２０１は、例えば、いわゆるタブレット型の携帯端末である。なお、端末装置２０１は、例えば、携帯電話機や、ラップトップ型パーソナルコンピュータや、携帯型ゲーム機など、いずれの携帯型端末であってもよい。
【００６５】
操作表示部２１１は、例えば、液晶タッチパネルである。制御部２２１による制御に基づいて、操作表示部２１１に種々の画像や端末装置の操作を行うための操作画像などが表示される。ユーザは、操作表示部２１１に表示されている操作画像についてタッチ操作などを行うことで、端末装置２０１に対して指令を行い、端末装置２０１に所望の動作を実行させることができる。
【００６６】
制御部２２１は、制御部１２１と同様に、ＣＰＵ，ＲＯＭ，ＲＡＭなどを有している。制御部２２１は、ＲＯＭなどに記憶されている制御プログラム２２１ａを実行することで、端末装置２０１の種々の動作を制御する。
【００６７】
記憶部２２５は、例えば、フラッシュメモリである。記憶部２２５には、端末装置２０１で実行させる種々のプログラムや、各プログラムに用いられる文書データや画像データなどが記憶されている。なお、記憶部２２５は、例えばＨＤＤであってもよい。
【００６８】
転送部２５１は、例えばネットワークインターフェイスである。本実施の形態において、転送部２５１は、いわゆる無線ＬＡＮを介してネットワーク８０１に接続されている。これにより、端末装置２０１は、ネットワーク８０１との間で無線通信可能である。
【００６９】
端末通信部２６１は、例えば、近距離無線通信技術を用いて他の通信部との間で機器間相互通信などを行えるように構成されている。端末通信部２６１は、後述のように端末装置２０１が表示装置３０１に近接したとき、表示装置３０１側の通信部３６１（図５に示す。）との間で通信を行う。
【００７０】
［表示装置３０１の構成］
【００７１】
図５は、表示装置３０１のハードウェア構成を示すブロック図である。
【００７２】
図５を参照して、表示装置３０１は、表示部３１１と、制御部３２１と、記憶部３２５と、転送部３５１と、複数の通信部３６１と、管理部３７１と、抽出部３７３とを有している。表示装置３０１は、いわゆる電子黒板であって、表示部３１１に、種々の画像（図形、写真、文字など）を表示させたり、ユーザによる表示部３１１への書き込みを反映させたりする。
【００７３】
表示部３１１は、例えば、プロジェクタ（図示せず）により画像が投影表示されるスクリーンである。表示部３１１は、例えば、対応する電子ペンやユーザの指が表示部３１１上に触れたとき、そのこと及びその位置を検知可能である。
【００７４】
制御部３２１は、ＣＰＵ，ＲＯＭ，ＲＡＭなどで構成されている。制御部３２１のＲＯＭなどには、制御プログラム３２１ａが記憶されている。制御部３２１は、制御プログラム３２１ａを実行することで、表示装置３０１の制御を行う。
【００７５】
記憶部３２５は、例えば不揮発性メモリやＨＤＤなどである。記憶部３２５には、表示装置３１１が表示する画像や文書などの情報が記憶されている。制御部３２１は、記憶部３２５などに記憶されている情報に基づいて、表示部３１１に画像を表示させたり、その他の制御などを行ったりする。記憶部３２５には、例えば、ＭＦＰ１０１や端末装置２０１などから送信された、表示部３１１に表示するための情報を記憶できる。
【００７６】
転送部３５１は、例えば、ＭＦＰ１０１の転送部１５１と同様のネットワークインターフェイスである。転送部３５１は、表示装置３０１をネットワーク８０１に接続する。これにより、表示装置３０１は、ＭＦＰ１０１、端末装置２０１、及びＰＣ４０１などと、ネットワーク８０１を介して通信可能である。
【００７７】
管理部３７１は、例えば、制御部３２１の制御の下で、後述の予約表示機能実行時の表示装置３０１の動作を司る。
【００７８】
抽出部３７３は、例えば、表示部３１１に表示される画像の所定の領域の切り出し、すなわち抽出処理を行う。抽出部３７３は、例えば表示部３１１に表示される画像の一部を抽出することがユーザによって指示されたときなどに、抽出処理を行う。なお、抽出処理は、例えば、後述のように端末装置２０１が表示部３１１に近接していることが検知されたときにそれに応じて行われるようにしてもよい。
【００７９】
図６は、表示装置３０１の概略構成を示す正面図である。
【００８０】
図６を参照して、複数の通信部３６１は、表示装置３０１の表示部３１１に、ｍ行ｎ列のマトリクス状に配置されている。すなわち、複数の通信部３６１は、略水平方向にｎ個（例えば、最上段は通信部（１，１）〜（ｎ，１））が並び、縦方向にｍ個（例えば、再左列は通信部（１，１）〜（１，ｍ））が並ぶようにして設けられている。各通信部３６１は、表示部３１１の表示面の背面に配置されている。すなわち、実際には、図６に示されるように表示部３１１よりも手前側に露出しているわけではない。
【００８１】
各通信部３６１は、制御部３２１に接続されている。制御部３２１は、複数の通信部３６１のうち、いずれにより通信が行われているか、通信が行われたかを把握可能である。
【００８２】
図７は、表示装置３０１に端末装置２０１が近接したときの状態の一例を説明する正面図である。
【００８３】
各通信部３６１は、端末装置２０１の端末通信部２６１が近接したとき、すなわち表示部３１１に端末装置２０１が近接したとき、端末通信部２６１との間で近距離無線通信（非接触通信）を行う。ここで、表示部３１１に端末装置２０１が近接しているとは、例えば、表示部３１１に端末装置２０１が接触している状態か、通信部３６１と端末通信部２６１とが互いに通信可能となるように近接している状態のことをいう。
【００８４】
通信部３６１と端末通信部２６１との間では、例えば、端末装置２０１が有する情報や、表示装置３０１が有する情報が転送可能である。このような情報としては、例えば、端末装置２０１を識別するための情報や、各通信部３６１を特定するための情報などが該当する。なお、画像データなどを転送可能であってもよい。
【００８５】
図７に示されるように、表示装置３０１の表示部３１１に端末装置２０１が近接すると、その端末装置２０１の端末通信部２６１に近い通信部３６１と、端末通信部２６１とが通信可能になる。図７においては、端末装置２０１が、表示部３１１の各通信部３６１のうち、左上から３行７列目のものに近接している場合の例が示されている。
【００８６】
このように表示部３１１に端末装置２０１が近接すると、表示装置３０１の制御部３２１は、端末通信部２６１と通信を開始する通信部３６１がいずれであるかを判別し、近接した端末装置２０１の情報とを取得する。これにより、表示装置３０１は、端末装置２０１が近接したこと、近づいた端末装置の別、及び表示部３１１上で端末装置２０１が近接した位置などを判別できる。
【００８７】
［予約表示機能の説明］
【００８８】
ここで、本実施の形態において、表示装置３０１は、予約表示機能を実行する電子会議支援装置として機能する。ユーザは、表示部３１１の所望の位置に端末装置２０１をかざし、端末装置２０１を表示部３１１に近接させる動作を行うことにより、その後、その所望の位置に基づく表示部３１１上の領域を、端末装置２０１から送信した画像を表示させるための予約位置として予約することができる。
【００８９】
図８は、電子会議システム１１を用いて行われる会議の実行例を説明する第１の図である。図９は、電子会議システム１１を用いて行われる会議の実行例を説明する第２の図である。
【００９０】
図８及び図９には、６人のユーザ（会議の参加者）９０１，９０２，９０３，９０４，９０５，９０６が１つの表示装置３０１を見ながら会議を行う場合の例が示されている。各ユーザ９０１〜９０６は、それぞれ、自己の端末装置２０１を手に持って保持している。会議は、表示装置３０１の表示部３１１に各ユーザ９０１〜９０６が画像を表示させることで、各ユーザ９０１〜９０６の意見を集約して行われる。
【００９１】
図８を参照して、表示装置３０１の表示部３１１には、文字や図形などを表示可能な表示面の画像が表示されている。このように多くのユーザ９０１〜９０６が参加している会議中に、各ユーザ９０１〜９０６が端末装置２０１を表示部３１１に近接させる動作を行おうとすると、表示装置３０１の近くがユーザ９０１〜９０６で混雑し、全員の動作が終わるまで時間がかかる。
【００９２】
このような場合において、予約表示機能を実行することができる。すなわち、例えば会議が始まる前やその他のタイミングにおいて、表示装置３０１の近くがすいているときに、各ユーザ９０１〜９０６が、端末装置２０１を表示部３１１に近接させる動作を行う。これにより、各ユーザ９０１〜９０６の端末装置２０１と、それぞれの端末装置２０１が近接した表示部３１１上の位置とが紐付けて記憶される。すなわち、各ユーザ９０１〜９０６は、後から画像を表示させるための領域（予約位置）を予約する（陣取る）ことができる。
【００９３】
図９に示されるように、各ユーザ９０１〜９０６は、自身の予約位置を確保すると、表示装置３０１から離れて会議に参加できる。このような状態で、各ユーザ９０１〜９０６は、自身の端末装置２０１に紐付けて記憶された位置に、その端末装置２０１から送信した画像を表示させることができる。
【００９４】
例えば、ユーザ９０１，９０２，９０３が、それぞれ、端末装置２０１，２０１ｂ，２０１ｃを所持している場合において、ユーザ９０１，９０２，９０３が、それぞれ、端末装置２０１，２０１ｂ，２０１ｃに表示している画像９５２，９６２，９７２を表示部３１１に表示させる場合を想定する。このとき、ユーザ９０１は、表示装置３０１から離れている状態において、所定の操作入力を端末装置２０１などに行う。
【００９５】
図１０は、端末装置２０１の操作画面の一例を示す図である。
【００９６】
予約位置に画像を表示させるときには、ユーザは、例えば図１０に示されるような操作画面から、所定の操作入力を行うことができる。すなわち、図１０に示されているように、端末装置２０１の操作表示部２１１に表示されている表示画面には、ユーザが閲覧したり編集したりしている画像９８１と、操作ボタン９８３，９８５が表示されている。操作ボタン９８３，９８５は、画像として表示されている。操作ボタン９８３は、画像９８１について、端末装置２０１上における編集機能を実行させるためのものである。他方、操作ボタン９８５は、表示されている画像９８１を予約位置に表示させる（貼り付ける）ことを指示するためのボタンである。ユーザは、所望の画像９８１が表示されている状態で、操作ボタン９８５を押下する操作を行うことで、所定の操作入力（送信操作）を行うことができる。
【００９７】
図９に示されるような場合において、ユーザ９０１により所定の操作入力が行われると、端末装置２０１は、表示装置３０１に対して表示指示を行う。これにより、端末装置２０１の操作表示部２１１に表示されている画像９５２の画像データが、ネットワーク８０１経由で表示装置３０１に送信される。そうすると、表示装置３０１は、表示指示を受け付け、ユーザ９０１の端末装置２０１に紐付けられている予約位置に、端末装置２０１から送信された画像データに基づいて、画像９５１を表示する。すなわち、ユーザ９０１は、表示装置３０１から離れながらにして、予約位置に、画像９５２に対応する画像９５１を表示させることができる。他のユーザ９０２，９０３もこれと同様にして、それぞれ事前に端末装置２０１ｂ，２０１ｃを表示部３１１に近接させることによって確保した予約位置に、画像９６２，９７２に対応する画像９６１，９７１をそれぞれ表示させることができる。
【００９８】
図１１は、予約表示機能の実行時において予約位置が確保されるまでの各装置の動作の流れを説明するシーケンス図である。
【００９９】
予約表示機能は、ユーザの操作に応じて、端末装置２０１と、電子会議支援装置としても機能する表示装置３０１との間で行われる。予約表示機能の実行時において、端末装置２０１が表示装置３０１に近接したことが検知されると、表示装置３０１の管理部３７１により、その端末装置２０１に関連付けて予約位置が設定される。すなわち、その端末装置２０１のための画像表示領域が予約位置として確保される。そして、その後、端末装置２０１により所定の操作入力が行われると、画像データが端末装置２０１から表示装置３０１に送られる。管理部３７１が、予約位置に関する情報に基づいて、表示制御を行うことで、表示装置３０１の表示部３１１において、予約位置となる位置に、画像が表示される。なお、図１１では、表示装置３０１と管理部３７１とが分けられて示されているが、これは、表示装置３０１及び管理部３７１で行われる動作の例をより詳細に説明するためである。
【０１００】
図１１に示されるように、予約表示機能では、次のような順番でユーザの操作が行われる。すなわち、ステップＳ１１において、ユーザは、端末装置２０１の動作モードとして、予約表示モードを選択し、端末装置２０１の動作モードを予約表示モードにする。ユーザは、端末装置２０１に所定の操作を行うことで、動作モードを変更可能である。なお、ユーザが表示装置３０１やＭＦＰ１０１などに所定の操作を行うことで、端末装置２０１の動作モードが変更されるようにしてもよい。
【０１０１】
ステップＳ１３において、ユーザは、端末装置２０１を表示部３１１にかざす。このとき、ユーザは、表示部３１１のうち、画像の表示位置（貼り付け位置）として予約したい位置に端末装置２０１をかざす。
【０１０２】
ステップＳ１３の動作が行われると、その後、端末装置２０１と表示装置３０１との間で後述のように処理が行われることで、表示部３１１上の予約位置が設定される。
【０１０３】
予約表示機能は、表示部３１１に端末装置２０１が近接するのに伴い、表示装置３０１及びその管理部３７１と、端末装置２０１とが、次のように処理を行うことで実現されている。これらの処理は、表示装置３０１の制御部３２１や、端末装置２０１の制御部２２１による制御の下で、表示装置３０１の各部や端末装置２０１の各部が動作することで行われる。
【０１０４】
予約表示機能が開始される前には、表示装置３０１の表示部３１１には、画像が表示されている（ステップＳ１０１）。表示される画像としては、例えば、各ユーザから表示するように指示されたものや、ＭＦＰ１０１やＰＣ４０１などから送られたものがある。
【０１０５】
上述のような、ユーザにより予約表示モードを選択する動作などが行われると（Ｓ１１）、ステップＳ１０３において、端末装置２０１の動作モードが予約表示モードになる。すなわち、端末装置２０１において、予約表示モードが開始され、予約表示機能がスタートする。
【０１０６】
ユーザによって端末装置２０１が表示部３１１にかざされると（Ｓ１３）、ステップＳ１０５，Ｓ１０６において、端末通信部２６１と通信部３６１とが通信を行う。これにより、端末装置２０１は、表示装置３０１に近接していることを検出する（ステップＳ１０７）。また、表示装置３０１は、端末装置２０１が近接していることを検出する（ステップＳ１０８）。
【０１０７】
ステップＳ１１１において、端末装置２０１は、指定情報を送信する。指定情報は、ネットワーク８０１を介して、表示装置３０１の管理部３７１に送信される。ここで、指定情報は、予約位置の設定に関する条件などを示す情報である。指定情報は、例えば、予約する表示部３１１上の領域の大きさや、予約位置の表示の有無などを指定する情報である。指定情報は、予約表示モードが選択されるときにユーザによって指定されたものであってもよいし、一定の値として定められているものであってもよい。また、他の機器から取得されるものであってもよい。
【０１０８】
ステップＳ１１３において、管理部３７１は、端末装置２０１から送られた指定情報を受信する。
【０１０９】
ステップＳ１１５において、管理部３７１は、第１の情報及び第２の情報を取得し、記憶する。情報は、例えば記憶部３２５などに記憶される。ここで、第１の情報及び第２の情報は、それぞれ次のようなものである。
【０１１０】
第１の情報は、表示部３１１上で、端末装置２０１に近接している位置に関する情報である。すなわち、第１の情報は、ユーザが端末装置２０１を近接させることで表示部３１１上で指定された位置を示す情報である。端末通信部２６１と複数の通信部３６１のうちいずれかとが通信し、端末装置２０１が表示部３１１に近接したことが検出されたとき、その通信部３６１がいずれのものであるかに応じて、第１の情報が取得される。
【０１１１】
第２の情報は、表示部３１１に近接している端末装置２０１を特定するための情報であって、例えば各端末装置２０１に固有の識別番号などである。端末装置２０１が表示部３１１に近接したことが検出されたとき、端末通信部２６１と通信部３６１との通信により、端末装置２０１の識別番号が表示装置３０１に送られる。これにより、第２の情報が取得される。
【０１１２】
管理部３７１は、このような第１の情報及び第２の情報を記憶すると、ステップＳ１１７において、表示部３１１上で端末装置２０１を検出した検出位置を判別し、確認する。検出位置は、第１の情報に基づいて判別することができる。
【０１１３】
ステップＳ１２１において、管理部３７１は、予約処理を行う。管理部３７１は、第１の情報と第２の情報とに基づいて、表示部３１１上で端末装置２０１に近接している位置に対応する位置を、その端末装置２０１に対応する予約位置として設定する。予約位置が設定されると、その情報すなわち第１の情報と第２の情報とを対応付けた情報を予約情報として記憶する。
【０１１４】
ステップＳ１２３において、表示装置３０１は、転送部３５１などを介して、端末装置２０１に、予約完了通知を送信する。
【０１１５】
ステップＳ１２５において、端末装置２０１は、予約完了通知を受信する。
【０１１６】
ステップＳ１２７において、端末装置２０１は、予約完了通知に基づいて、予約完了表示を行う。予約完了表示は、例えば、操作表示部２１１上に、ユーザの支持に応じて予約処理が実行された旨、及びその予約処理が完了した旨などを表示することで行われる。
【０１１７】
他方、ステップＳ１２９において、表示装置３０１では、予約位置表示が行われる。予約位置表示では、表示部３１１に、予約処理により確保された位置（範囲）などが、種々の方法で表示される。予約位置表示は、例えば、指定情報に基づいて、管理部３７１の制御により行われればよい。また、予約位置表示は、指定情報で表示しない旨が設定されている場合などには、行われなくてもよい。すなわち、予約位置が確保されていても、表示部３１１上には、そのような情報が何も表れないようにしてもよい。
【０１１８】
図１２は、予約表示機能の実行時において予約位置が確保された後に実行される各装置の動作の流れを説明するシーケンス図である。
【０１１９】
上述のようにして予約位置が確保された後において、ユーザは、次の操作を行うことで、表示装置３０１の表示部３１１に画像を表示させることができる。すなわち、ユーザは、端末装置２０１に、貼り付け画像を呼び出す操作（ステップＳ１５）と、所定の送信操作（ステップＳ１７）とを実行する。
【０１２０】
貼り付け画像は、ユーザが、予約位置に表示させたい画像である。貼り付け画像の呼出しは、例えば、端末装置２０１に前もって記憶されている画像を選択したり、端末装置２０１で撮像、作成、又は編集したりすることなどにより行われる。
【０１２１】
貼り付け画像の呼出し操作が行われると、ステップＳ１３１において、端末装置２０１は、呼出し対象となった画像を操作表示部２１１に表示する。このとき、端末装置２０１は、例えば、操作表示部２１１に、上述の図１０に示されるような操作画面を表示する。ユーザは、この操作画面が表示されている状態で、例えば操作ボタン９８５を押下する操作を行うことで、送信操作を行うことができる。
【０１２２】
送信操作が行われると、ステップＳ１３３において、端末装置２０１は、送信操作を受け付ける。そして、端末装置２０１は、送信操作に応じて画像データや端末情報を送信することで、表示指示を行う。ここで画像データは、貼り付け画像についての画像データである。また、端末情報は、端末装置２０１を特定するためのものであって、第２の情報に対応するものである。
【０１２３】
ステップＳ１３５において、表示装置３０１は、表示指示を受け付け、端末装置２０１から送られた画像データや端末情報を受信する。
【０１２４】
ステップＳ１３７において、管理部３７１は、予約情報を呼び出す。予約情報としては、端末装置２０１から送られた端末情報に対応するもの、すなわちその端末装置２０１に対応するものが呼び出される。
【０１２５】
ステップＳ１３９において、管理部３７１は、表示制御を行う。管理部３７１は、後述のように、表示指示の内容と、呼び出した予約情報とに基づいて、表示指示を行った端末装置２０１に対応する、表示部３１１上の位置を特定する。そして、管理部３７１は、その特定した位置に、端末装置２０１から送られた画像データや指定情報などに基づいて表示が行われるように、制御を行う。
【０１２６】
ステップＳ１４１において、表示装置３０１は、表示制御に基づいて、表示部３１１に画像を表示する。これにより、予約表示機能の一連の動作が終了する。
【０１２７】
［予約設定の説明］
【０１２８】
なお、本実施の形態において、ユーザは、予約表示機能の実行に先だって、どのように予約表示を行うかなどについて設定することができる（予約設定）。予約設定は、例えば、端末装置２０１において、操作表示部２１１に予約設定画面を表示させつつ、所定の入力操作を行うことで行うことができる。
【０１２９】
図１３は、端末装置２０１の予約設定画面を示す図である。
【０１３０】
予約設定画面は、例えば、予約表示モードを選択するときに操作表示部２１１に表示される画面である。図１１に示されるように、予約設定画面では、端末装置２０１をどの種の動作モードにするかを設定するための選択肢が表示されている。例えば、手書き、ファイル読み込み、ファイル書き込み、特殊処理などを選択可能である。
【０１３１】
ユーザは、図１１に示されるように適切な選択肢を選択することで、例えば予約表示モードを選択することができる。すなわち、「特殊処理」を選択すると、特殊処理に該当する下位カテゴリの処理（例えば、「画像貼り付け」、「画像貼り付け予約」など）の選択肢が表示される。ここでは、「画像貼り付け予約」モード（「陣取り」モード）を選択する。この状態で、ユーザは、予約に関する種々の細かな条件などの処理内容について指定することができる。
【０１３２】
処理内容としては、例えば、予約位置のサイズ（予約領域サイズ）指定や、予約位置を確保するページの指定や、表示を行う位置に他の画像が表示されているときの処理方法の指定や、予約位置のマーキング表示の実行態様に関する指定などが行えるようになっている。
【０１３３】
予約領域サイズについては、例えば、基準位置について、画像を切り出す範囲を寸法（例えば、長さ単位や、画素数単位など）で指定できる。例えば端末装置２０１が表示部３１１に近接している位置を基準位置として、ここで指定されたサイズ指定情報で特定される領域に、画像が表示されることになる。換言すると、予約表示は、サイズ指定情報に応じた大きさで行われる。
【０１３４】
予約ページの指定については、例えば、表示装置３０１が表示部３１１に複数のページの画像（表示面）を互いに切替えながら表示させることができるものであるとき、行うことができるものである。すなわち、例えば、複数のページのうち、全ページについて共通して予約位置を確保するか、それとも現在表示部３１１に表示されている特定のページ又は指定する特定のページについてのみ予約位置を確保するか、が選択できる。
【０１３５】
表示を行う位置に他の画像が表示されている（「重なり」が発生する）ときの処理方法は、「重なり時」の項目で指定できる。この重なり時処理については、例えば、重なりがあるとき、表示対象の画像について、上書き表示をする方法、透過表示をする方法、又はこれらのいずれかを自動選択させる方法の３つがある。上書き表示を行う場合には（上書き表示設定）、表示される画像に重なる他の画像が、表示される画像よって隠れるようにして表示される（上書き表示処理）。透過表示を行う場合には（透過表示設定）、表示を行う画像の透明度が高くされ、表示を行う画像をとおして、その画像に重なる他の画像が見えるようにして表示される（透過表示処理）。自動選択で表示を行う場合には（自動選択設定）、例えば、表示を行う画像の属性と、その画像に重なる他の画像の属性とに応じて、上書き表示処理及び透過表示処理のいずれかの表示モードで、表示が行われる。ここで、属性には、例えば、表示する画像に重なる他の画像が、その端末装置２０１に対応するものであるか他の端末装置２０１に対応するものであるかを示すものが含まれる。すなわち、重なりが発生するのが同一の端末装置２０１に由来する画像間であるか否かに応じて、上書き表示処理及び透過表示処理のいずれかが行われる。
【０１３６】
予約位置のマーキング表示については、後述のようにマーキング表示を表示部３１１に行うか否か、そこにその予約位置に対応する端末装置２０１の名を表示するか否か、及びそこにその端末装置２０１に対応するユーザの名を表示するか否かを指定できる。これに応じて、表示部３１１にマーキング表示が行われる。
【０１３７】
［表示制御の説明］
【０１３８】
図１４は、表示制御を示すフローチャートである。
【０１３９】
図１４に示されるように、表示制御が開始されると、ステップＳ１６１に示されるように、管理部３７１は、呼び出した予約情報の読み込みを行う。
【０１４０】
ステップＳ１６３において、管理部３７１は、予約情報に基づいて、予約位置についての表示部３１１画面上の位置と、サイズ情報を取得する。
【０１４１】
ステップＳ１６５において、管理部３７１は、表示する画像（受信画像）のサイズを取得する。
【０１４２】
ステップＳ１６７において、管理部３７１は、予約位置の画面サイズの情報に応じて、表示する画像のサイズ変更処理を行う。
【０１４３】
ステップＳ１６９において、管理部３７１は、現在表示画像情報の取得を行う。この情報は、現在表示部３１１に表示されている画像の位置及びサイズに関する情報と、その画像の属性に関する情報とを含むものである。
【０１４４】
ステップＳ１７１において、管理部３７１は、重なり判定処理を行う。すなわち、表示する画像の位置及びサイズと、ステップＳ１６９で取得した既に表示されている画像についての位置及びサイズとに基づいて、両者が重なる関係にあるか否かを判定する。
【０１４５】
ステップＳ１７３において、管理部３７１は、重なり判定処理の結果として、重なりがあるか否かを判断する。
【０１４６】
ステップＳ１７３において重なりがある場合、ステップＳ１７５において、重なり処理が実行される。重なり処理については、別途説明する。
【０１４７】
ステップＳ１７３において重なりがない場合、又は重なり処理が終了した場合、ステップＳ１７７において、管理部３７１は、表示実行指示を行う。表示実行指示が行われると、図１２の動作に戻り、表示する画像が、表示実行指示通りの態様で、表示部３１１に表示される。
【０１４８】
図１５は、重なり処理を示すフローチャートである。
【０１４９】
重なり処理では、予約設定において指定された重なり時処理の指定内容に応じて、表示する画像が、上述の上書き表示処理又は透過表示処理により表示されるように制御される。
【０１５０】
すなわち、図１５に示されるように、ステップＳ１８１において、管理部３７１は、指定情報を確認する。これにより、重なり時処理に関する指定内容が確認される。
【０１５１】
ステップＳ１８３において、管理部３７１は、重なり時処理が自動選択設定であるか否かを確認する。
【０１５２】
ステップＳ１８３において自動選択設定であれば、ステップＳ１８５において、管理部３７１は、表示する画像に重なる他の画像が、表示する画像と同一の端末装置２０１（同一端末）により表示されたものであるか否かを判断する。
【０１５３】
ステップＳ１８５において同一端末により表示されたものである場合には、ステップＳ１８７において、管理部３７１は、表示する画像について、上書き表示処理を行う。
【０１５４】
ステップＳ１８５において同一端末により表示されたものでない場合には、ステップＳ１８９において、管理部３７１は、表示する画像について、透過表示処理を行う。
【０１５５】
一方、ステップＳ１８３において自動選択設定でなければ、ステップＳ１９１において、管理部３７１は、重なり時処理が上書き表示設定であるか否かを確認する。上書き表示設定であれば、上書き表示処理が行われる（ステップＳ１８７）。
【０１５６】
ステップＳ１９１で上書き表示設定でなければ、ステップＳ１９３において、管理部３７１は、重なり時処理が透過表示設定であるか否かを確認する。透過表示設定であれば、透過表示処理が行われる（ステップＳ１８９）。
【０１５７】
ステップＳ１９３において透過表示設定でもなければ、ステップＳ１９５において、管理部３７１は、特に処理を行わないことに決定する。ステップＳ１８７，Ｓ１８９，Ｓ１９５のいずれかが行われると、図１５の処理は終了し、図１４の動作に戻る。
【０１５８】
このように、重なりが発生する場合において、予約設定に応じて、上書き表示処理や透過表示処理が行われる。したがって、ユーザは、予約設定において所望の重なり処理を指定することで、その処理を実行させることができる。
【０１５９】
また、自動選択設定を行うことで、例えば同一端末により表示された画像間では、上書き表示処理を行うようにし、同一のユーザにより表示されたより新しい画像を上書き表示できる。したがって、ユーザの意図をより反映させた表示を行うことができる。また、互いに異なる端末により表示された場合には、透過表示を行うようにし、他のユーザにより表示された画像が完全に隠されてしまうことがないようにしつつ、自らの画像も表示させることができる。自動選択設定では、これらの表示方法の選択が画像の属性に応じて自動的に行われるので、ユーザの手間を増加させることなく、適切に表示させることができる。
【０１６０】
なお、予約設定にかかわらず、表示制御動作において重なりがあると判断されたときに、ユーザが、どのように画像を表示させるか指示できるようにしてもよい。これは、例えば、電子会議支援装置として機能する表示装置３０１と端末装置２０１とが通信して端末装置２０１の操作表示部２１１に所定の指示画面などを表示させることで、ユーザに、予約設定とは別に、処理内容に関する指示を求めることなどにより実現すればよい。
【０１６１】
［マーキング表示の説明］
【０１６２】
図１６は、表示部３１１にマーキング表示が行われている状態の一例を示す図である。
【０１６３】
図１６に示される例では、５つの端末装置９１０（端末１〜５）にそれぞれ対応する５つの領域が、予約位置として確保されている。表示部３１１には、それぞれの予約位置が、マーキング９１０として表示されている。なお、５つの端末装置９１０のうち、端末１，２，３，４，５はそれぞれユーザＡ，Ｂ，Ｃ，Ｄ，Ｅのものである。マーキング９１０は、予約設定に応じて表示されている。
【０１６４】
本実施の形態において、マーキング９１０は、それぞれの予約位置すなわち画像の表示領域を縁取るような形状に表示されている。図１６に示されている例において、端末１に対応するマーキング９１０が最も大きくなっている。また、端末１に対応するマーキング９１０と端末２に対応するマーキング９１０とが互いに重なっている。この場合、端末１又は端末２によりいずれか一方の予約位置に画像が表示されている状態で、他方の端末装置２０１から画像が表示されるとき、表示する画像について、上述のような重なり処理が行われる場合がある。
【０１６５】
各マーキング９１０には、それぞれが対応する端末装置２０１の名（「端末１」〜「端末６」）及びその端末装置２０１に対応するユーザ名（「ユーザＡ」〜「ユーザＥ」）が示されている。
【０１６６】
このようにマーキング９１０が表示されていることで、表示部３１１のうち、どの位置について既に予約位置が確保されているか、すなわち他のユーザからの画像が表示される可能性があるかを一見して容易に把握可能である。また、マーキング９１０と共に対応する端末装置２０１及びそのユーザ名が表示されることで、その予約位置がどのユーザに対応するものであるかを容易に判別可能である。ユーザは、例えば新たに予約位置を確保しようとするとき、このようなマーキング９１０の表示を見て、既に確保されている他の予約位置を避けるようにして、容易に予約位置を確保できる。
【０１６７】
以上説明したように、本実施の形態によれば、予約表示機能を行って表示部３１１に予約位置を確保する動作を行った上で、その予約位置に後から画像を表示させることができる。したがって、多くのユーザが参加する会議などにおいて、表示装置３０１の前でユーザの混雑が発生することを避けられる。また、表示部３１１への予約位置を確保する動作は、ユーザにとって、所望の位置に端末装置２０１を近接させるだけの直感的な動作によって行うことができる。したがって、容易にかつスムーズに表示装置３０１への意見集約を行うことができ、ユーザの利便性が高い電子会議システムを構築することができる。
【０１６８】
予約表示機能では、予約位置のサイズや、マーキング表示の有無など、様々な予約設定を行うことができる。したがって、容易な操作により、ユーザにとって自由度の高い予約位置の確保を行うことができる。
【０１６９】
また、表示部３１１に複数のページの画像を互いに切替えながら表示させることができる表示装置３０１を用いているとき、予約位置を、これらの複数のページの表示面毎に設定したり、複数のページの表示面に共通して設定したりできる。これらの設定は、予約設定により容易に指定できる。したがって、より便利に意見集約機能を行うことができる。
【０１７０】
［電子会議支援装置として機能する装置の変型例］
【０１７１】
上記のような予約表示機能を司る電子会議支援装置としての役割を担うのは、表示装置３０１に限られない。例えば、ＭＦＰ１０１が電子会議支援装置として機能するようにしたり、端末装置２０１が電子会議支援装置として機能したりするようにしてもよい。
【０１７２】
図１７は、ＭＦＰ１０１が電子会議支援装置として機能する場合の変形例に係る予約表示機能の流れを示す第１のシーケンス図である。
【０１７３】
図１７において、図１７と同様に予約表示機能の流れを示す図１１と対比して、端末装置２０１及び表示装置３０１が行う役割はおおむね同じであるが、管理部３７１に代えてＭＦＰ１０１が画像の抽出や画像データの送信を行う点が相違する。この場合でも、ユーザが行う操作は、図１１に示されるそれと同様である。
【０１７４】
まず、予約表示モードの実行前においては、次のようにして、ＭＦＰ１０１が保有する画像データに基づいて、表示装置３０１で画像の表示が行われている。すなわち、ステップＳ２０１において、表示装置３０１は、ＭＦＰ１０１に対して、表示されるべき画像の画像データを要求する（画像データ取得要求）。
【０１７５】
ステップＳ２０３において、ＭＦＰ１０１は、画像データ取得要求に対して、画像データを送信する。
【０１７６】
ステップＳ２０５，Ｓ２０７において、表示装置３０１は、ＭＦＰ１０１から送られた画像データを受信し、その画像データに基づいて、表示部３１１に画像を表示する。これにより、ＭＦＰ１０１にある画像データに基づいて、表示装置３０１に画像が表示される。
【０１７７】
ここで、ユーザにより予約表示モードが選択され（ステップＳ１１）、端末装置２０１が表示部３１１にかざされると（ステップＳ１３）、ステップＳ２０９〜Ｓ２１４において、上述の実施の形態のステップＳ１０３〜Ｓ１０８と同様の処理が行われ、表示装置３０１と端末装置２０１とがお互いが近接していることを検出する。そして、ステップＳ２１７において、端末装置２０１からＭＦＰ１０１に、ネットワーク８０１経由で、指定情報が送信される。
【０１７８】
ステップＳ２１９〜Ｓ２２５において、ＭＦＰ１０１が管理部３７１に代わって処理を行うほか、ステップＳ１１３〜Ｓ１２１と同じ処理が行われる。すなわち、指定情報が端末装置２０１からＭＦＰ１０１に送信され、ＭＦＰ１０１が予約処理までを行う。
【０１７９】
ステップＳ２２７において、ＭＦＰ１０１は、予約処理について、予約完了通知を端末装置２０１に送信する。
【０１８０】
ステップＳ２２９，Ｓ２３１において、端末装置２０１は、ステップＳ１２５，Ｓ１２７と同様に、予約完了通知を受信し、受信した情報に基づいて、操作表示部２１１に予約が完了した旨の表示を行う。
【０１８１】
ステップＳ２３３において、ＭＦＰ１０１は、表示装置３０１に対し、予約位置に関する予約位置情報を送信する。
【０１８２】
ステップＳ２３５において、表示装置３０１は、予約位置情報を受信する。
【０１８３】
ステップＳ２３７において、表示装置３０１は、ステップＳ１２９と同様に、予約位置情報に基づいて、予約位置を表示する。
【０１８４】
図１８は、ＭＦＰ１０１が電子会議支援装置として機能する場合の変形例に係る予約表示機能の流れを示す第２のシーケンス図である。
【０１８５】
上述のようにして予約位置が確保された場合の後にも、上述の実施の形態と同様の動作が行われる。このとき、ユーザが行う操作は、図１２に示されるそれと同様である。
【０１８６】
ユーザの操作（ステップＳ１５，Ｓ１７）が行われると、ステップＳ２４１において、貼り付ける（表示部３１１に表示させる）画像が操作表示部２１１に表示され、その後、ステップＳ２４３において、画像データ及び端末情報が送信される。
【０１８７】
ステップＳ２４５，Ｓ２４７において、ＭＦＰ１０１は、送信された画像データ及び端末情報を受信する。そして、その画像データを、表示装置３０１で表示させるために、表示装置３０１に送信する。
【０１８８】
ステップＳ２４９において、表示装置３０１は、送信された画像データを受信する。なお、ステップＳ２４３で送信された画像データがそのまま表示装置３０１に送信されるようにしたり、表示装置３０１及びＭＦＰ１０１に送信されるようにしたりしてもよい。
【０１８９】
ステップＳ２５１，Ｓ２５３において、ＭＦＰ１０１は、上記の実施の形態において管理部３７１が行うのと同じように、予約情報の呼出しと、表示制御を行う。
【０１９０】
ステップＳ２５５において、表示装置３０１は、ＭＦＰ１０１の表示制御に基づいて、受信した画像データに応じた画像を表示部３１１に表示する。
【０１９１】
図１９は、端末装置２０１自身が電子会議支援装置として機能する場合の変形例に係る予約表示機能の流れを示す第１のシーケンス図である。
【０１９２】
本変型例では、上述の実施の形態と比較して、管理部３７１に代えて、いずれか１つの端末装置２０１自身が、予約処理などを行う点が相違する。この場合において、電子会議支援装置として機能する端末装置２０１を用いて予約表示機能が行われるとき、その動作の流れは以下のようになる。ここで、ユーザにより行う操作は、図１１に示されるそれと同様である。以下の説明において、表示装置３０１の表示部３１１に表示される画像のデータが、基本的に、表示装置３０１内に保有されている場合を想定する。
【０１９３】
図１９に示されるように、予約表示機能が開始され、表示装置３０１と端末装置２０１とがお互いが近接していることを検出するまでの動作（ステップＳ３０１〜Ｓ３０８）は、上述の実施の形態と同様である。
【０１９４】
ステップＳ３１１において、端末装置２０１は、指定情報を自身から取得する。
【０１９５】
ステップＳ３１３〜Ｓ３１７において、端末装置２０１は、情報の取得から予約処理まで、上述の実施の形態のステップＳ１１５〜Ｓ１２１と同様の処理を行う。そして、ステップＳ３１９において、予約完了表示を行う。また、ステップＳ３２１において、予約位置に関する情報を、表示装置３０１に送信する。
【０１９６】
ステップＳ３２３，Ｓ３２５において、表示装置３０１は、予約位置情報を受信し、それに応じて、予約位置表示を行う。
【０１９７】
図２０は、端末装置２０１自身が電子会議支援装置として機能する場合の変形例に係る予約表示機能の流れを示す第２のシーケンス図である。
【０１９８】
上述のようにして予約位置が確保された場合の後にも、上述の実施の形態と同様の動作が行われる。このとき、ユーザが行う操作は、図１２に示されるそれと同様である。
【０１９９】
すなわち、ユーザの操作（ステップＳ１５，Ｓ１７）が行われると、ステップＳ３３１，Ｓ３３３において、貼り付ける（表示部３１１に表示させる）画像が操作表示部２１１に表示され、その後、画像データが送信される。なお、このとき、端末情報は送信されない。
【０２００】
ステップＳ３３５において、表示装置３０１は、送信された画像データを受信する。
【０２０１】
ステップＳ３３７，Ｓ３３９において、端末装置２０１は、上記の実施の形態において管理部３７１が行うのと同じように、予約情報を呼び出し、表示制御を行う。
【０２０２】
ステップＳ３４１において、表示装置３０１は、端末装置２０１の表示制御に基づいて、受信した画像データに応じた画像を表示部３１１に表示する。
【０２０３】
なお、このように１つの端末装置２０１が電子会議支援装置として機能する場合において、その端末装置２０１は、他の端末装置２０１でユーザによる操作が行われる場合には、上述の図１７及び図１８に示されているＭＦＰ１０１と同様に動作する。
【０２０４】
［その他］
【０２０５】
上述の実施形態において、各部の特徴を適宜組み合わせたり、一部の特徴を除いたりしてもよい。
【０２０６】
予約表示機能によって表示部上に予約位置が確保されたとき、表示部のうち確保された予約位置に表示されている画像は、表示されたままであってもよいし、非表示となってもよい。
【０２０７】
表示指示は、所定のタイミングで自動的に行われるようにしてもよい。例えば、画像が呼び出されてから所定時間経過したときや、画像について行われている編集作業により画像が更新されたときなどに、自動的に、表示指示が行われてもよい。
【０２０８】
端末装置が表示装置の表示部に近接していること及び近接している位置などは、近距離無線通信により検出されるものに限られない。例えば、表示部に対面して設けられた光学的センサを用いて得られた情報や、表示部に対面して設けられた撮像装置を用いて撮影された映像などを解析することなどによって、端末装置が表示部に近接しているか否かが検出されるようにしてもよい。このとき、端末装置側に接触スイッチなどを設け、そのスイッチのオンオフを合わせて検知することで、端末装置が表示部に接触したタイミングにおける近接している位置の検出を行うようにしてもよい。また、端末装置が近接することによる静電容量の変化により、近接していること及び近接している位置を検知してもよい。表示部が種々の方式のタッチパネルであって、端末装置が表示部に接触していること及び接触している位置が検知されてもよい。電子会議支援装置として機能する端末装置と表示装置とがネットワークを介して互いに通信することで、端末装置と表示装置とが近接していることやその位置の情報を、表示装置が得られるようにしてもよい。
【０２０９】
画像の表示を行う位置に他の画像が表示されているとき、上述とは異なる動作を重なり時処理として行うようにしてもよい。例えば、一方の画像を予約位置や既に表示されている位置からずらして表示するようにしてもよい。また、すぐには画像の表示を行わず、ユーザに指示や操作のやり直しを求めるようにしてもよい。
【０２１０】
電子会議システムを構成する種々の機器は、それぞれ、無線によりネットワークに接続されていてもよいし、有線によりネットワークに接続されていてもよい。
【０２１１】
端末通信部と表示装置の通信部とは、表示装置の表示部と端末装置とが近接したことを検知するのみならず、その後の画像データの転送やその他の画像の通信を両者間で実現させるようにしてもよい。この場合において、端末装置は、ネットワークには接続されず、表示装置などの電子会議支援装置として機能する装置に直接接続されるようにしてもよい。
【０２１２】
表示装置は、プロジェクタ型の電子黒板に限られない。例えば、液晶ディスプレイや他の方式のディスプレイを用いるものであってもよい。
【０２１３】
上述の実施の形態における処理は、ソフトウェアによって行っても、ハードウェア回路を用いて行ってもよい。
【０２１４】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０２１５】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２１６】
１１  電子会議システム
１０１  ＭＦＰ（サーバ、画像形成装置、電子会議支援装置の一例）
１２１  制御部
１２１ａ  制御プログラム
１５１  転送部
２０１  端末装置（電子会議支援装置の一例）
２１１  操作表示部
２２１  制御部
２２１ａ  制御プログラム
２５１  転送部
２６１  端末通信部
３０１  表示装置（電子会議支援装置の一例）
３１１  表示部（表示面）
３２１  制御部
３２１ａ  制御プログラム
３５１  転送部
３６１  通信部
３７１  管理部
８０１  ネットワーク
【図１】
0005974461.tif 000002
【図２】
0005974461.tif 000003
【図３】
0005974461.tif 000004
【図４】
0005974461.tif 000005
【図５】
0005974461.tif 000006
【図６】
0005974461.tif 000007
【図７】
0005974461.tif 000008
【図８】
0005974461.tif 000009
【図９】
0005974461.tif 000010
【図１０】
0005974461.tif 000011
【図１１】
0005974461.tif 000012
【図１２】
0005974461.tif 000013
【図１３】
0005974461.tif 000014
【図１４】
0005974461.tif 000015
【図１５】
0005974461.tif 000016
【図１６】
0005974461.tif 000017
【図１７】
0005974461.tif 000018
【図１８】
0005974461.tif 000019
【図１９】
0005974461.tif 000020
【図２０】
0005974461.tif 000021